(57)【要約】【課題】検出光による火災の判定への悪影響の度合いを低減することが可能な感知器を提供すること。【解決手段】  外部から遮光された遮光空間３内に設けられ、検出対象が流入する発生空間３２と、発生空間３２に向けて第１発光側光軸６１１及び第２発光側光軸に沿って検出光を発光する第１発光部６１及び第２発光部と、第１発光部６１及び第２発光部から発光された検出光が発生空間３２に流入した検出対象により散乱されることで生じる散乱光を、受光側光軸であって第１発光側光軸６１１及び第２発光側光軸と交わる受光側光軸に沿って受光する受光部と、第１発光部６１及び第２発光部から発光された検出光を、第１発光側光軸６１１、第２発光側光軸、及び受光側光軸によって定まる平面と交差する方向に一次反射する検煙部カバー側傾斜部４３と、を備える。【選択図】図４
2019046111.tif 000002
【特許請求の範囲】
【請求項１】
外部から遮光された遮光領域内に設けられ、検出対象が流入する検出空間と、
前記検出空間に向けて発光側光軸に沿って検出光を発光する発光手段と、
前記発光手段から発光された前記検出光が前記検出空間に流入した前記検出対象により散乱されることで生じる散乱光を、受光側光軸であって前記発光側光軸と交わる前記受光側光軸に沿って受光する受光手段と、
前記発光手段から発光された前記検出光を、前記発光側光軸及び前記受光側光軸によって定まる平面と交差する方向に一次反射する反射手段と、
を備える散乱光式感知器。
【請求項２】
前記反射手段は、前記遮光領域を形成する遮光領域形成部材における少なくとも前記発光側光軸上の一部を傾斜させることにより形成される、
請求項１に記載の散乱光式感知器。
【請求項３】
前記反射手段は、当該反射手段にて一次反射された前記検出光が、当該一次反射の後に、前記遮光領域内で１回反射されて前記反射手段に戻った場合に、当該戻った前記検出光を前記発光手段側に反射する、
請求項１又は２に記載の散乱光式感知器。
【請求項４】
前記遮光領域の少なくとも一部は回路基板によって囲まれており、
前記回路基板は、光を吸収する吸収層、を備え、
前記反射手段は、前記発光手段から発光された前記検出光を、前記吸収層に一次反射する、
請求項１から３の何れか一項に記載の散乱光式感知器。
【請求項５】
前記散乱光式感知器は、設置対象物の下側の設置面に取り付けられ、
前記散乱光式感知器は、前記設置面と対向する取付面、を備えており、
前記反射手段は、前記発光手段から発光された前記検出光を、前記取付面側に一次反射する、
請求項１から４の何れか一項に記載の散乱光式感知器。
【請求項６】
前記散乱光式感知器は、設置対象物の側方側の設置面に取り付けられ、
前記散乱光式感知器は、前記設置面と対向する取付面、を備えており、
前記反射手段は、前記発光手段から発光された前記検出光を、前記取付面側又は当該取付面側とは反対側に一次反射する、
請求項１から４の何れか一項に記載の散乱光式感知器。
【請求項７】
前記検出対象は、煙である、
請求項１から６の何れか一項に記載の散乱光式感知器。
【発明の詳細な説明】
【技術分野】
【０００１】
本発明は、散乱光式感知器に関する。
【背景技術】
【０００２】
従来、外部から遮光された遮光領域内に設けられている検出空間を備えており、この検出空間に流入した煙の濃度を検出することにより、火災を判定する火災感知器が知られていた（例えば、特許文献１参照）。この火災感知器は、検出光を発光する発光部と、発光部から発光された検出光に基づく光を受光する受光部とを備えており、発光部から発光された検出光が検出空間内の煙の粒子によって散乱されることにより生じる散乱光を受光部で受光し、受光部が受光した光の光量に基づいて、火災を判定していた。
【先行技術文献】
【特許文献】
【０００３】
【特許文献１】特開２０１１−２４８５４７号公報
【発明の概要】
【発明が解決しようとする課題】
【０００４】
しかしながら、従来の火災感知器においては、検出空間に煙が流入したか否かに関わらず、発光部からの検出光が、遮光領域内の部品（例えば、遮光領域を区画するラビリンス等）で反射した後に直接的に受光部に入射し、煙の検出に悪影響を与えてしまい、火災感知器による火災の判定に悪影響を与えてしまう可能性があった。
【０００５】
本発明は上記問題に鑑みてなされたもので、検出光による火災の判定への悪影響の度合いを低減することが可能な散乱光式感知器を提供することを目的とする。
【課題を解決するための手段】
【０００６】
上述した課題を解決し、目的を達成するために、請求項１に記載の散乱光式感知器は、外部から遮光された遮光領域内に設けられ、検出対象が流入する検出空間と、前記検出空間に向けて発光側光軸に沿って検出光を発光する発光手段と、前記発光手段から発光された前記検出光が前記検出空間に流入した前記検出対象により散乱されることで生じる散乱光を、受光側光軸であって前記発光側光軸と交わる前記受光側光軸に沿って受光する受光手段と、前記発光手段から発光された前記検出光を、前記発光側光軸及び前記受光側光軸によって定まる平面と交差する方向に一次反射する反射手段と、を備える。
【０００７】
また、請求項２に記載の散乱光式感知器は、請求項１に記載の散乱光式感知器において、前記反射手段は、前記遮光領域を形成する遮光領域形成部材における少なくとも前記発光側光軸上の一部を傾斜させることにより形成される。
【０００８】
また、請求項３に記載の散乱光式感知器は、請求項１又は２に記載の散乱光式感知器において、前記反射手段は、当該反射手段にて一次反射された前記検出光が、当該一次反射の後に、前記遮光領域内で１回反射されて前記反射手段に戻った場合に、当該戻った前記検出光を前記発光手段側に反射する。
【０００９】
また、請求項４に記載の散乱光式感知器は、請求項１から３の何れか一項に記載の散乱光式感知器において、前記遮光領域の少なくとも一部は回路基板によって囲まれており、前記回路基板は、光を吸収する吸収層、を備え、前記反射手段は、前記発光手段から発光された前記検出光を、前記吸収層に一次反射する。
【００１０】
また、請求項５に記載の散乱光式感知器は、請求項１から４の何れか一項に記載の散乱光式感知器において、前記散乱光式感知器は、設置対象物の下側の設置面に取り付けられ、前記散乱光式感知器は、前記設置面と対向する取付面、を備えており、前記反射手段は、前記発光手段から発光された前記検出光を、前記取付面側に一次反射する。
【００１１】
また、請求項６に記載の散乱光式感知器は、請求項１から４の何れか一項に記載の散乱光式感知器において、前記散乱光式感知器は、設置対象物の側方側の設置面に取り付けられ、前記散乱光式感知器は、前記設置面と対向する取付面、を備えており、前記反射手段は、前記発光手段から発光された前記検出光を、前記取付面側又は当該取付面側とは反対側に一次反射する。
【００１２】
また、請求項７に記載の散乱光式感知器は、請求項１から６の何れか一項に記載の散乱光式感知器において、前記検出対象は、煙である。
【発明の効果】
【００１３】
請求項１に記載の散乱光式感知器によれば、発光手段から発光された検出光を、発光側光軸及び受光側光軸によって定まる平面と交差する方向に一次反射することにより、例えば、発光手段からの検出光が遮光領域内で１回のみ反射した後に受光手段に直接的に入射するのを防止することができるので、検出光による火災の判定への悪影響の度合いを低減することが可能となる。
【００１４】
請求項２に記載の散乱光式感知器によれば、遮光領域を形成する遮光領域形成部材における少なくとも発光側光軸上の一部を傾斜させることにより反射手段が形成されることにより、例えば、遮光領域形成部材を反射手段としても用いることができるので、反射手段を構成するための専用部品が不要となり、散乱光式感知器の部品点数を削減することができ、散乱光感知器の軽量化及び低コスト化を図ることが可能となる。
【００１５】
請求項３に記載の散乱光式感知器によれば、反射手段にて一次反射された検出光が、当該一次反射の後に、遮光領域内で１回反射されて反射手段に戻った場合に、当該戻った検出光を発光手段側に反射することにより、例えば、反射手段に戻った検出光が受光手段に入射するのを防止することができるので、検出光による火災の判定への悪影響の度合いを一層低減することが可能となる。また、例えば、検出対象が検出空間に存在する場合に、反射手段にて一次反射する前の検出光に加えて一次反射の後に戻る検出光も検出空間を通過させることができるので、検出空間の光量を増加させることができ、比較的高感度な散乱光式感知器を提供することが可能となる。
【００１６】
請求項４に記載の散乱光式感知器によれば、発光手段から発光された検出光を吸収層に一次反射することにより、例えば、検出光を吸収層にて吸収することができるので、一次反射した後の検出光の強度を弱めることができ、検出光による火災の判定への悪影響の度合いをより一層低減することが可能となる。
【００１７】
請求項５に記載の散乱光式感知器によれば、発光手段から発光された検出光を取付面側に一次反射することにより、例えば、一般的に塵埃が堆積し易い側である下側とは反対の上側に向かって検出光を一次反射することができるので、検出光の塵埃による反射によって当該検出光が受光手段に入射するのを防止することができ、検出光による火災の判定への悪影響の度合いを更に一層低減することが可能となる。
【００１８】
請求項６に記載の散乱光式感知器によれば、発光手段から発光された検出光を取付面側又は当該取付面側とは反対側に一次反射することにより、例えば、一般的に塵埃が堆積し易い側である下側とは異なる側方側に向かって検出光を一次反射することができるので、検出光の塵埃による反射によって当該検出光が受光手段に入射するのを防止することができ、検出光による火災の判定への悪影響の度合いを更に一層低減することが可能となる。
【００１９】
請求項７に記載の散乱光式感知器によれば、検出対象が煙であることにより、例えば、煙を検出することができるので、当該煙の検出により火災を確実に判定することが可能となる。
【図面の簡単な説明】
【００２０】
【図１】本実施の形態に係る感知器の斜視図である。
【図２】感知器の底面図である。
【図３】感知器の側面図である。
【図４】図２のＡ―Ａ矢視断面図である。
【図５】取付面側から見た状態の検煙部カバーの斜視図である。
【図６】取付面側とは反対側から見た状態の検煙部カバーの斜視図である。
【図７】図４の一部の拡大図である。
【図８】図４において気流を白抜き矢印にて例示した図である。
【図９】図７において検出光の進路を矢印にて例示した図である。
【００２１】
以下に、本発明に係る散乱光式感知器の実施の形態を図面に基づいて詳細に説明する。なお、この実施の形態によりこの発明が限定されるものではない。
【００２２】
〔実施の形態の基本的概念〕
まずは、実施の形態の基本的概念について説明する。実施の形態は、概略的に、散乱光式感知器に関するものである。
【００２３】
ここで、「散乱光式感知器」とは、監視領域を監視する装置であり、具体的には、後述する散乱光を用いて、監視領域の検出対象を検出することにより監視領域の異常を監視するものであり、例えば、設置対象物の設置面に取り付けられるものであり、一例としては、火災等の異常を判定する機器である。この「散乱光式感知器」は、例えば、煙感知器、及び火災感知器等を含む概念である。
【００２４】
なお、「監視領域」とは、散乱光式感知器による監視の対象となっている領域であり、具体的には、一定の広がりを持った空間であって、屋内あるいは屋外の空間であり、例えば、建物の廊下、階段、又は部屋等の空間を含む概念である。また、「設置対象物」とは、散乱光式感知器を設置する対象物であって、例えば、監視領域内の天井、壁等が挙げられる。また、「設置面」とは、散乱光式感知器が設置される設置対象物の面であって、例えば、天井における監視領域側の面（つまり、天井の下面）、壁における監視領域側の面（つまり、壁の室内側面）等が挙げられる。
【００２５】
また、「監視領域の異常」とは、監視領域が通常とは異なっている状態になっていることであり、例えば、火災発生等を含む概念である。また、「検出対象」とは、散乱光式感知器による検出の対象であり、具体的には、監視領域の異常に関連するものであり、例えば、煙等を含む概念である。
【００２６】
そして、以下の実施の形態においては、「散乱光式感知器」が「火災感知器」であり、「監視領域」が「建物の部屋」であり、「設置対象物」が「天井」であり、「監視領域の異常」が「火災発生」であり、「検出対象」が「煙」である場合について説明する。
【００２７】
（構成）
まず、本実施の形態に係る感知器の構成について説明する。図１は、本実施の形態に係る感知器の斜視図であり、図２は、感知器の底面図であり、図３は、感知器の側面図であり、図４は、図２のＡ―Ａ矢視断面図である。なお、説明の便宜上、図２では、図１の誘導部２２及びリブ２３が省略されており、また、図３及び図４では、図１のリブ２３が省略されている。
【００２８】
なお、以下の説明では、各図に示すＸ―Ｙ―Ｚが互いに直交する方向であり、具体的には、Ｚ方向が鉛直方向（つまり、重力が働く方向）であって、Ｘ方向及びＹ方向が鉛直方向に対して直交する水平方向（側方側）であるものとして、例えば、Ｚ方向を高さ方向と称し、＋Ｚ方向を上側（平面）と称し、−Ｚ方向を下側（底面）と称して説明する。また、以下の「Ｘ―Ｙ―Ｚ方向」に関する用語については、図示の感知器１００において、各構成品の相対的な位置関係（又は、方向）等を説明するための便宜的な表現であることとし、図４の遮光空間３の中心位置を基準として、遮光空間３から離れる方向を「外側」と称し、遮光空間３に近づく方向を「内側」と称して、以下説明する。以下では、感知器１００全体の構成を説明した後に、特に特徴的な構成の詳細について説明する。
【００２９】
これら各図に示す感知器１００は、散乱光式感知器であって、気体に含まれている検出対象である煙を検出することにより、火災発生を監視して警報する警報手段であり、具体的には、図４に示すように、監視領域の天井における下側（−Ｚ方向）の面（つまり、下面）である設置面９００に取り付けて用いるものであり、例えば、取付ベース１、外カバー２、遮光空間３、検煙部カバー４、防虫網５、及び回路基板６を備える。
【００３０】
（構成‐取付ベース）
取付ベース１は、設置面９００に対して、外カバー２を取り付けるための取付手段である。この取付ベース１の具体的な種類や構成は任意であるが、例えば、設置面９００と対向する面である取付面１１を備えているものであって、外カバー２と設置面９００との間において、設置面９００に対して公知の固定手段（例えば、ねじあるいは嵌合構造等）によって固定されているものであり、また、全体として円盤形状の樹脂製のものである。
【００３１】
（構成‐外カバー）
次に、図４の外カバー２は、感知器１００の構成要素である遮光空間３、検煙部カバー４、防虫網５、及び回路基板６（以下、収容対象物）を覆うカバーであり、具体的には、取付ベース１を介して設置面９００に取り付けられるものであり、例えば、全体として円盤形状の樹脂製のものである。この外カバー２の具体的な種類や構成は任意であるが、例えば、本体部２１、誘導部２２、及び図１のリブ２３を備えているものである。
【００３２】
（構成‐外カバー‐本体部）
本体部２１は、収容対象物を収容する収容手段であり、具体的には、高さ方向（Ｚ方向）における上側（＋Ｚ方向）に設けられている円筒状部分と、この円筒状部分から下側（−Ｚ方向）に向かうにつれて小径となっているテーパ状部分とによって形成されているものであり、例えば、外カバー側流入出開口２１１を備える。
【００３３】
（構成‐外カバー‐本体部‐外カバー側流入出開口）
外カバー側流入出開口２１１は、煙を含む気体の遮光空間３に対する流入及び／又は流出を可能にする流入出開口であって、取付面１１と略直交する方向（Ｚ方向）を基準にして本体部２１における取付面１１の反対側（−Ｚ方向）に向けて設けられているものである。この外カバー側流入出開口２１１の具体的な構成は任意であるが、例えば、図２に示すように区分点２１ａの周囲に複数設けられているものである。ここで、区分点２１ａとは、遮光空間３に流入する気体と遮光空間３から流出する気体とを分ける点であり、具体的には、本体部２１における下側（−Ｚ方向）の一部であって、例えば、後述する検出点３１の直下の本体部２１と誘導部２２とが相互に接続されている部分である。
【００３４】
（構成‐外カバー‐誘導部）
図４の誘導部２２は、取付面１１と略直交する方向（Ｚ方向）を基準にして本体部２１を介して取付面１１の反対側（−Ｚ方向）に設けられている誘導部材であり、具体的には、全体としては、本体部２１よりも小径のものであり、例えば、誘導部側傾斜部２２１を備える。
【００３５】
（構成‐外カバー‐誘導部‐誘導部側傾斜部）
誘導部側傾斜部２２１は、気体が外カバー側流入出開口２１１を介して遮光空間３に流入するように当該気体を誘導する誘導手段であり、具体的には、誘導部２２における本体部２１側の少なくとも一部を、区分点２１ａ側に向かうにつれて（つまり、ＸＹ平面に沿って外側から内側に向かうにつれて）取付面１１に近付くように傾斜させることにより形成されるものである。
【００３６】
（構成‐外カバー‐誘導部‐リブ）
図１のリブ２３は、気体が外カバー側流入出開口２１１を介して遮光空間３に流入するように当該気体を誘導する誘導手段であり、具体的には、当該誘導手段としての機能と共に、本体部２１に対して誘導部２２を固定して補強する補強手段として機能するものである。このリブ２３の具体的な構成は任意であるが、例えば、本体部２１と誘導部２２との間に設けられているものであり、また、図２の複数の外カバー側流入出開口２１１を半径方向の２個の組み合わせ単位で相互に区画するように、区分点２１ａを基準に放射状に８個設けられているものである。
【００３７】
（構成‐遮光空間）
次に、図４の遮光空間３は、外部から遮光された遮光領域であり、具体的には、検煙部カバー４及び回路基板６によって囲まれている空間である。この遮光空間３の具体的な種類や構成は任意であるが、例えば、検出点３１、及び発生空間３２を備える空間である。
【００３８】
（構成‐遮光空間‐検出点）
検出点３１は、遮光空間３内の点であって、煙を検出する基準となる点であり、例えば、図２に示す後述の第１発光側光軸６１１、第２発光側光軸６２１、及び受光側光軸６３１が相互に交わる位置であり、一例としては、水平方向（ＸＹ平面に平行な方向）において感知器１００の中心付近となる位置である。
【００３９】
（構成‐遮光空間‐発生空間）
発生空間３２は、遮光空間３内の空間であって、煙が流入する検出空間であり、具体的には、検出点３１を取り囲む空間であり、例えば、後述の第１発光部６１又は第２発光部６２から発光された検出光が照射される空間であって、受光部６３にて受光される散乱光が発生し得る空間である。ここで、「検出光」とは、火災発生を判定するために煙を検出するための光であり、具体的には、散乱光の基となる光であり、例えば、第１発光部６１又は第２発光部６２から発光されて出力される光である。また、「散乱光」とは、火災発生を判定するために煙を検出するための光であり、具体的には、検出光が煙の粒子に照射されることにより散乱され、当該散乱によって生じる光であり、例えば、後述の受光部６３にて受光される光である。
【００４０】
（構成‐検煙部カバー）
次に、図４の検煙部カバー４は、遮光空間３を区画する区画手段であり、具体的には、回路基板６と共に遮光空間３を取り囲むものであり、また、当該遮光空間３を形成する遮光領域形成部材である。なお、検煙部カバー４の詳細については後述する。
【００４１】
（構成‐防虫網）
次に、図４の防虫網５は、外カバー２の外部の虫が遮光空間３に侵入するのを防止する防虫手段であり、具体的には、外カバー２の外部から遮光空間３の内部に、防虫網５自身の小孔を介して気体が流入するのを許容する一方で、遮光空間３に虫が入ることを防止するものである。この防虫網５の具体的な種類や構成は任意であるが、例えば、平板状のものであり、また、検煙部カバー４とは別体として形成されているものであり、また、外カバー側流入出開口２１１全てを覆うように１つのみ設けられてものである。
【００４２】
（構成‐回路基板）
次に、図４の回路基板６は、感知器１００の各素子が実装される実装手段であり、また、遮光空間３を区画する区画手段であり、具体的には、検煙部カバー４と共に遮光空間３を取り囲むものである。この回路基板６の具体的な種類や構成は任意であるが、例えば、外カバー２の内部に前述の任意の固定手段を用いて固定されるものであり、また、全体としてＸＹ平面に沿ってひろがっている平板形状のものであり、また、吸収層６００、図２の第１発光部６１、第２発光部６２、及び受光部６３を備えるものである。
【００４３】
（構成‐回路基板‐吸収層）
吸収層６００は、光を吸収する吸収手段であり、具体的には、遮光空間３の内部で検煙部カバー４によって反射された光を吸収するものであり、また、回路基板６における遮光空間３側に設けられている層である。この吸収層６００の具体的な種類や構成は任意であるが、例えば、吸光率の高い公知の黒色の光吸収材料が塗布されている、あるいは、当該吸収材料にて形成されている層である。
【００４４】
（構成‐回路基板‐第１発光部）
第１発光部６１は、遮光空間３に流入した煙を検出する検出手段であり、具体的には、遮光空間３内の発生空間３２に向けて第１発光側光軸６１１に沿って検出光を発光する第１発光手段であって、回路基板６に実装されているものであり、例えば、任意の発光部品（一例としては、青色発光ダイオード等）及び任意の光学部品（一例としては、プリズム等）を備えて構成されるものである。ここで、第１発光側光軸６１１は、第１発光部６１からの検出光が出力される直進方向を示す軸であり、具体的には、少なくとも受光側光軸６３１と交わる軸であり、例えば、第１発光部６１における検出光を出力する部分と検出点３１とを結ぶ直線に対応するものであり、図２にて仮想的に図示されている直線に対応するものである。
【００４５】
（構成‐回路基板‐第２発光部）
第２発光部６２は、遮光空間３に流入した煙を検出する検出手段であり、具体的には、遮光空間３内の発生空間３２に向けて第２発光側光軸６２１に沿って検出光を発光する第２発光手段であって、回路基板６に実装されているものであり、例えば、第１発光部６１からの検出光とは異なる波長の検出光を発光するように構成されているものであり、一例としては、任意の発光部品（一例としては、赤色発光ダイオード等）及び任意の光学部品（一例としては、プリズム等）を備えて構成されるものである。ここで、第２発光側光軸６２１は、第２発光部６２からの検出光が出力される直進方向を示す軸であり、具体的には、少なくとも受光側光軸６３１と交わる軸であり、例えば、第２発光部６２における検出光を出力する部分と検出点３１とを結ぶ直線に対応するものであり、図２にて仮想的に図示されている直線に対応するものである。
【００４６】
（構成‐回路基板‐受光部）
受光部６３は、遮光空間３に流入した煙を検出する検出手段であり、具体的には、第１発光部６１又は第２発光部６２から発光された検出光が遮光空間３の発生空間３２に流入した煙により散乱されることで生じる前述の散乱光を、受光側光軸６３１に沿って受光する受光手段であって、回路基板６に実装されているものであり、例えば、任意の受光部品（一例としては、フォトダイオード等）及び任意の光学部品（一例としては、プリズム等）を備えて構成されるものである。ここで、受光側光軸６３１は、受光部６３が散乱光を受光する方向を示す軸であって、例えば、検出点３１にて第１発光側光軸６１１及び第２発光側光軸６２１と交わるものであって、受光部６３における散乱光を受光する部分と検出点３１とを結ぶ直線に対応するものであり、図２にて仮想的に図示されている直線に対応するものである。そして、この受光側光軸６３１、第１発光側光軸６１１、及び第２発光側光軸６２１の向き及び配置については、少なくとも、受光側光軸６３１と第１発光側光軸６１１とが交わる点が遮光空間３の内部になり、且つ、受光側光軸６３１と第２発光側光軸６２１とが交わる点が遮光空間３の内部になる限りにおいて任意に設定され得るが、ここでは、例えば、これらの各光軸が相互に１つの点である検出点３１にて交わり、且つ、各光軸がＸＹ平面と平行な同一平面上に設けられるように設定されているものとして、以下説明する。また、この受光側光軸６３１、第１発光側光軸６１１、及び第２発光側光軸６２１によって定まる平面を、「光軸画定平面」と称して以下説明する。
【００４７】
（構成‐詳細）
次に、検煙部カバー４の詳細について説明する。
【００４８】
（構成‐詳細‐検煙部カバー）
図５は、取付面側から見た状態の検煙部カバーの斜視図であり、図６は、取付面側とは反対側から見た状態の検煙部カバーの斜視図であり、図７は、図４の一部の拡大図である。これら各図の検煙部カバー４は、例えば、回路基板６に任意の固定手段（例えば、ネジ、接着剤、係合構造、あるいは、嵌合構造等）を用いて固定されるものであり、また、回路基板６の吸収層６００を形成する吸収材料と同様な性質を有する公知の材料によって形成されるものであり、中空部を有する黒色の樹脂製のものであって、また、検煙部カバー側流入出開口４１、部品収容部４２、及び検煙部カバー側傾斜部４３を備えるものである。
【００４９】
（構成‐詳細‐検煙部カバー‐検煙部カバー側流入出開口）
図４の検煙部カバー側流入出開口４１は、煙を含む気体の遮光空間３に対する流入及び／又は流出を可能にする流入出開口であり、具体的には、検煙部カバー４に設けられている開口であり、例えば、取付面１１と略直交する方向（Ｚ方向）を基準にして検煙部カバー４における取付面１１の反対側（−Ｚ方向）に向けて設けられている開口であり、１つのみ設けられている開口である。
【００５０】
（構成‐詳細‐検煙部カバー‐部品収容部）
図５及び図６の部品収容部４２は、部品を収容する部品収容手段であり、具体的には、第１発光部６１、第２発光部６２、及び受光部６３を各々収容する３つのものであり、例えば、部品収容部４２の内部に連通する連通開口４２ａを介して図４の回路基板６に実装されている第１発光部６１、第２発光部６２、及び受光部６３を当該部品収容部４２の内部に収容しているものである。
【００５１】
（構成‐詳細‐検煙部カバー‐検煙部カバー側傾斜部）
図５〜図７の検煙部カバー側傾斜部４３は、第１発光部６１及び第２発光部６２から発光された検出光を、前述の光軸画定平面と交差する方向に一次反射する反射手段であり、具体的には、検煙部カバー４における少なくとも第１発光側光軸６１１及び第２発光側光軸６２１上の一部を傾斜させることにより形成されるものであり、例えば、検煙部カバー４の側壁に対応するものである。なお、「反射手段」とは、発光手段から発光された検出光を、発光側光軸及び受光側光軸によって定まる平面と交差する方向に一次反射するものであり、例えば本実施の形態では、第１発光部６１からの検出光を第１発光側光軸６１１と受光側光軸６３１によって定まる平面（つまり、光軸画定平面）と交差する方向に一次反射するものであり、また、第２発光部６２からの検出光を第２発光側光軸６２１と受光側光軸６３１によって定まる平面（つまり、光軸画定平面）と交差する方向に一次反射するものである。また、「光軸画定平面と交差する方向」とは、光軸画定平面に対して平行とならないあらゆる方向であり、例えば、光軸画定平面に対して所定角度（例えば、９０度等）となる方向を含む概念である。また、「一次反射」とは、出力された光を最初に反射することであり、例えば、第１発光部６１からの検出光であって、遮光空間３の内部で未だ反射されていない当該検出光を最初に反射すること、あるいは、第２発光部６２からの検出光であって、遮光空間３の内部で未だ反射されていない当該検出光を最初に反射すること、等を含む概念である。
【００５２】
そして、この検煙部カバー側傾斜部４３の具体的な種類や構成は任意であるが、例えば、第１発光部６１及び第２発光部６２から発光された検出光が遮光空間３内で散乱されることなく反射されて、当該反射された検出光が受光部６３にて受光されることにより、感知器１００による煙の検出に対して与えられる悪影響の度合いを低減するために、以下のように構成される。具体的には、検煙部カバー側傾斜部４３の構成は、第１発光部６１及び第２発光部６２から発光された検出光を、光軸画定平面と交差する方向に一次反射する限りにおいて任意であるが、例えば、第１発光部６１及び第２発光部６２から発光された検出光を相互に同一の方向に一次反射し、詳細には、第１発光部６１及び第２発光部６２から発光された検出光を、図４の取付面１１側である上側（＋Ｚ方向）に一次反射し、また、第１発光部６１及び第２発光部６２から発光された検出光を、回路基板６の吸収層６００に一次反射し、また、検煙部カバー側傾斜部４３にて反射された第１発光部６１からの検出光が、当該一次反射の後に、遮光空間３内で１回反射されて検煙部カバー側傾斜部４３に戻った場合に、当該戻った検出光を第１発光部６１側に反射し、また、検煙部カバー側傾斜部４３にて反射された第２発光部６２からの検出光が、当該一次反射の後に、遮光空間３内で１回反射されて検煙部カバー側傾斜部４３に戻った場合に、当該戻った検出光を第２発光部６２側に反射するように構成されているものとして、以下説明する。
【００５３】
検煙部カバー側傾斜部４３は、全体として傾斜しており、例えば、図７に示すように、第１発光側光軸６１１と検煙部カバー側傾斜部４３とによって形成される鋭角ＡＤが４５度になり、且つ、第２発光側光軸６２１と検煙部カバー側傾斜部４３とによって形成される不図示の鋭角が４５度になるように傾斜している。なお、受光側光軸６３３と検煙部カバー側傾斜部４３とよって形成される不図示の鋭角の角度については、任意に設定することができるが、ここでは、例えば、感知器１００による煙の検出に対して与えられる悪影響の度合いを確実に低減するために、当該鋭角についても４５度となるように、検煙部カバー側傾斜部４３が傾斜していることとする。
【００５４】
（気流）
次に、このように構成された、感知器１００における気流について説明する。図８は、図４において気流を白抜き矢印にて例示した図である。なお、感知器１００は、火災発生により発生した煙を含む気体が、あらゆる方向から移動してきた場合において、当該気体を遮光空間３に取り込んで検出し、迅速且つ確実に火災発生の判定を行うことができるが、ここでは、図８を参照して、例えば、火災による煙を含む気体が、図面左側から感知器１００に向かって移動する場合の気流の例について説明する。
【００５５】
まず、図８の白抜き矢印が示すように感知器１００に向かって移動する気体は、外カバー側流入出開口２１１、防虫網５、及び検煙部カバー側流入出開口４１を介してして遮光空間３の内部に流入する。この後、当該気体は、検煙部カバー側流入出開口４１、防虫網５、及び外カバー側流入出開口２１１を介して遮光空間３の外部に流出することになる。
【００５６】
（火災の判定）
次に、このように構成された、感知器１００における火災の判定について説明する。図９は、図７において検出光の進路を矢印にて例示した図である。なお、感知器１００は、第１発光部６１又は第２発光部６２のうちの少なくとも一方から検出光を発光して、公知の手法にて従来と同様にして煙を検出することにより、火災を判定するが、第１発光部６１及び第２発光部６２からの各検出光の進路については、相互に同様であるので、ここでは、第１発光部６１からの検出光を用いて煙を検出する場合を例示して説明する。
【００５７】
まず、図９の矢印が示すように第１発光部６１は、第１発光側光軸６１１に沿って検出光を出力する。この検出光は、発生空間３２を通過して検煙部カバー側傾斜部４３に照射され、当該検煙部カバー側傾斜部４３にて上側（＋Ｚ方向）に一次反射されて回路基板６の吸収層６００に照射される。なお、ここでは、検煙部カバー側傾斜部４３が前述のように構成されているので、一次反射された検出光は回路基板６の吸収層６００に対して９０度となる状態で照射される。そして、この検出光の少なくとも一部は、吸収層６００にて吸収されて、吸収層６００に照射された検出光のうちの吸収層６００にて吸収されたもの以外が、当該吸収層６００にて反射されて吸収層６００に対して９０度となった状態で反射されて、検煙部カバー側傾斜部４３に照射される。次に、この検煙部カバー側傾斜部４３に照射された検出光は、検煙部カバー側傾斜部４３にて反射されて、発生空間３２を通過して第１発光部６１側に戻ることなる。
【００５８】
そして、例えば、図８を参照して説明した気流によって、発生空間３２に煙が流入した場合には、当該発生空間３２にて散乱光が発生して当該散乱光が図２の受光部６３にて受光されることになり、感知器１００は、当該散乱光の受光量により煙を検出して火災を判定する。特に、図９の矢印を参照して説明したように、第１発光部６１からの検出光は、遮光空間３内で散乱されることなく反射されて、受光部６３にて受光されることが防止されているので、感知器１００は、煙を正確に検出して火災を確実に判定することが可能となる。
【００５９】
（実施の形態の効果）
このように本実施の形態によれば、第１発光部６１及び第２発光部６２から発光された検出光を、第１発光側光軸６１１、第２発光側光軸６２１、及び受光側光軸６３１によって定まる平面と交差する方向に一次反射することにより、例えば、第１発光部６１及び第２発光部６２からの検出光が遮光空間３内で１回のみ反射した後に受光部６３に直接的に入射するのを防止することができるので、検出光による火災の判定への悪影響の度合いを低減することが可能となる。
【００６０】
また、遮光空間３を形成する検煙部カバー４における少なくとも第１発光側光軸６１１及び第２発光側光軸６２１の一部を傾斜させることにより反射手段が形成されることにより、例えば、検煙部カバー４を発光手段としても用いることができるので、反射手段を構成するための専用部品が不要となり、感知器１００の部品点数を削減することができ、感知器１００の軽量化及び低コスト化を図ることが可能となる。
【００６１】
また、反射手段である検煙部カバー側傾斜部４３にて一次反射された検出光が、当該一次反射の後に、遮光空間３内で１回反射されて検煙部カバー側傾斜部４３に戻った場合に、当該戻った検出光を第１発光部６１及び第２発光部６２側に反射することにより、例えば、検煙部カバー側傾斜部４３に戻った検出光が受光部６３に入射するのを防止することができるので、検出光による火災の判定への悪影響の度合いを一層低減することが可能となる。また、例えば、検出対象である煙が発生空間３２に存在する場合に、検煙部カバー側傾斜部４３にて一次反射する前の検出光に加えて一次反射の後に戻る検出光も発生空間３２を通過させることができるので、発生空間３２の光量を増加させることができ、比較的高感度な散乱光式感知器を提供することが可能となる。
【００６２】
また、第１発光部６１及び第２発光部６２から発光された検出光を吸収層６００に一次反射することにより、例えば、検出光を吸収層６００にて吸収することができるので、一次反射した後の検出光の強度を弱めることができ、検出光による火災の判定への悪影響の度合いをより一層低減することが可能となる。
【００６３】
また、第１発光部６１及び第２発光部６２から発光された検出光を取付面１１側に一次反射することにより、例えば、一般的に塵埃が堆積し易い側である下側（−Ｚ方向）とは反対の上側（＋Ｚ方向）に向かって検出光を一次反射することができるので、検出光の塵埃による反射によって当該検出光が受光部６３に入射するのを防止することができ、検出光による火災の判定への悪影響の度合いを更に一層低減することが可能となる。
【００６４】
また、検出対象が煙であることにより、例えば、煙を検出することができるので、当該煙の検出により火災を確実に判定することが可能となる。
【００６５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６６】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００６７】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。例えば、上述の各特徴のうちの任意のものを従来のものに置き換えてもよい。例えば、第１発光部６１又は第２発光部６２のうちの一方を省略して発光部を１個用いる構成にしたり、あるいは、これらの発光部に加えて他の発光部を設けて発光部を３個以上用いる構成にしたりしてもよい。
【００６８】
（反射手段について（その１））
また、上記実施の形態では、検煙部カバー４の検煙部カバー側傾斜部４３を用いて反射手段を構成する場合について説明したが、これに限らない。例えば、検煙部カバー４とは別体の反射部材を遮光空間３に設けて当該反射部材にて反射手段を構成してもよい。この場合、例えば、発生空間３２を基準にして第１発光部６１の反対側の反対側、及び発生空間３２を基準にして第２発光部６２の反対側に、反射部材を設けてもよい。
【００６９】
この場合の反射部材については、任意に構成してよいが、例えば、実施の形態で説明したように、検出光が上側（＋Ｚ方向）に反射されるように構成したり、あるいは、当該反射部材にて一次反射された検出光が、当該一次反射の後に、遮光空間３内で１回反射されて反射部材に戻った場合に、当該戻った検出光が反射部材にて発光手段（つまり、第１発光部６１及び第２発光部６２）側に反射されるように構成したりしてもよい。また、例えば、実施の形態で説明した場合とは異なり、検出光が下側（−Ｚ方向）に反射されるように構成したり、あるいは、当該反射部材にて一次反射された検出光が、当該一次反射の後に、遮光空間３内で１回反射されて反射部材に戻った場合に、当該戻った検出光が反射部材にて発光手段側以外の方向（受光部６３側を除く）に反射されるように構成したりしてもよい。検煙部カバー側傾斜部４３も、この反射部材と同様な機能を発揮するように構成してもよい。
【００７０】
（反射手段について（その２））
また、上記実施の形態では、第１発光側光軸６１１、第２発光側光軸６２１、及び受光側光軸６３１が相互に同一平面上に設けられる場合について説明したが、これに限らず各光軸が同一平面上に設けられない場合については、以下のように構成してもよい。具体的には、２つの相互に交わる直線によって平面が定まるという概念に着目して、反射手段が、第１発光側光軸６１１と受光側光軸６３１とによって定まる平面と交差する方向に第１発光部６１からの検出光を一次反射し、また、第２発光側光軸６２１と受光側光軸６３１とによって定まる平面と交差する方向に第２発光部６２からの検出光を一次反射するように、つまり、第１発光部６１からの検出光と第２発光部６２からの検出光とを、相互に異なる方向に一次反射するように構成してもよい。
【００７１】
（感知器の設置について）
また、感知器１００を設置対象物である壁における側方側の設置面である監視領域側の面（つまり、壁の室内側面）に取り付けてもよい。この場合、第１発光部６１及び第２発光部６２から発光された検出光を取付面１１側（つまり、ＸＹ平面に平行な方向）に一次反射することにより、例えば、一般的に塵埃が堆積し易い側である下側（−Ｚ方向）とは異なる側方側に向かって検出光を一次反射することができるので、検出光の塵埃による反射によって当該検出光が受光部６３に入射するのを防止することができ、検出光による火災の判定への悪影響の度合いを更に一層低減することが可能となる。また、検煙部カバー側傾斜部４３の形状を変更することにより、第１発光部６１及び第２発光部６２から発光された検出光を取付面１１側とは反対側に一次反射させてもよい。このように構成した場合も、一般的に塵埃が堆積し易い側である下側（−Ｚ方向）とは異なる側方側に向かって検出光を一次反射することができる。また、検煙部カバー側傾斜部４３の形状を変更することにより、第１発光部６１の検出光と第２発光部６２の検出光を相互に逆方向に一次反射させてもよい。
【００７２】
（付記）
付記１の散乱光式感知器は、外部から遮光された遮光領域内に設けられ、検出対象が流入する検出空間と、前記検出空間に向けて発光側光軸に沿って検出光を発光する発光手段と、前記発光手段から発光された前記検出光が前記検出空間に流入した前記検出対象により散乱されることで生じる散乱光を、受光側光軸であって前記発光側光軸と交わる前記受光側光軸に沿って受光する受光手段と、前記発光手段から発光された前記検出光を、前記発光側光軸及び前記受光側光軸によって定まる平面と交差する方向に一次反射する反射手段と、を備える。
【００７３】
付記２の散乱光式感知器は、付記１に記載の散乱光式感知器において、前記反射手段は、前記遮光領域を形成する遮光領域形成部材における少なくとも前記発光側光軸上の一部を傾斜させることにより形成される。
【００７４】
付記３の散乱光式感知器は、付記１又は２に記載の散乱光式感知器において、前記反射手段は、当該反射手段にて一次反射された前記検出光が、当該一次反射の後に、前記遮光領域内で１回反射されて前記反射手段に戻った場合に、当該戻った前記検出光を前記発光手段側に反射する。
【００７５】
付記４の散乱光式感知器は、付記１から３の何れか一項に記載の散乱光式感知器において、前記遮光領域の少なくとも一部は回路基板によって囲まれており、前記回路基板は、光を吸収する吸収層、を備え、前記反射手段は、前記発光手段から発光された前記検出光を、前記吸収層に一次反射する。
【００７６】
付記５の散乱光式感知器は、付記１から４の何れか一項に記載の散乱光式感知器において、前記散乱光式感知器は、設置対象物の下側の設置面に取り付けられ、前記散乱光式感知器は、前記設置面と対向する取付面、を備えており、前記反射手段は、前記発光手段から発光された前記検出光を、前記取付面側に一次反射する。
【００７７】
付記６の散乱光式感知器は、付記１から４の何れか一項に記載の散乱光式感知器において、前記散乱光式感知器は、設置対象物の側方側の設置面に取り付けられ、前記散乱光式感知器は、前記設置面と対向する取付面、を備えており、前記反射手段は、前記発光手段から発光された前記検出光を、前記取付面側又は当該取付面側とは反対側に一次反射する。
【００７８】
付記７の散乱光式感知器は、付記１から６の何れか一項に記載の散乱光式感知器において、前記検出対象は、煙である。
【００７９】
（付記の効果）
付記１に記載の散乱光式感知器によれば、発光手段から発光された検出光を、発光側光軸及び受光側光軸によって定まる平面と交差する方向に一次反射することにより、例えば、発光手段からの検出光が遮光領域内で１回のみ反射した後に受光手段に直接的に入射するのを防止することができるので、検出光による火災の判定への悪影響の度合いを低減することが可能となる。
【００８０】
付記２に記載の散乱光式感知器によれば、遮光領域を形成する遮光領域形成部材における少なくとも発光側光軸上の一部を傾斜させることにより反射手段が形成されることにより、例えば、遮光領域形成部材を反射手段としても用いることができるので、反射手段を構成するための専用部品が不要となり、散乱光式感知器の部品点数を削減することができ、散乱光感知器の軽量化及び低コスト化を図ることが可能となる。
【００８１】
付記３に記載の散乱光式感知器によれば、反射手段にて一次反射された検出光が、当該一次反射の後に、遮光領域内で１回反射されて反射手段に戻った場合に、当該戻った検出光を発光手段側に反射することにより、例えば、反射手段に戻った検出光が受光手段に入射するのを防止することができるので、検出光による火災の判定への悪影響の度合いを一層低減することが可能となる。また、例えば、検出対象が検出空間に存在する場合に、反射手段にて一次反射する前の検出光に加えて一次反射の後に戻る検出光も検出空間を通過させることができるので、検出空間の光量を増加させることができ、比較的高感度な散乱光式感知器を提供することが可能となる。
【００８２】
付記４に記載の散乱光式感知器によれば、発光手段から発光された検出光を吸収層に一次反射することにより、例えば、検出光を吸収層にて吸収することができるので、一次反射した後の検出光の強度を弱めることができ、検出光による火災の判定への悪影響の度合いをより一層低減することが可能となる。
【００８３】
付記５に記載の散乱光式感知器によれば、発光手段から発光された検出光を取付面側に一次反射することにより、例えば、一般的に塵埃が堆積し易い側である下側とは反対の上側に向かって検出光を一次反射することができるので、検出光の塵埃による反射によって当該検出光が受光手段に入射するのを防止することができ、検出光による火災の判定への悪影響の度合いを更に一層低減することが可能となる。
【００８４】
付記６に記載の散乱光式感知器によれば、発光手段から発光された検出光を取付面側又は当該取付面側とは反対側に一次反射することにより、例えば、一般的に塵埃が堆積し易い側である下側とは異なる側方側に向かって検出光を一次反射することができるので、検出光の塵埃による反射によって当該検出光が受光手段に入射するのを防止することができ、検出光による火災の判定への悪影響の度合いを更に一層低減することが可能となる。
【００８５】
付記７に記載の散乱光式感知器によれば、検出対象が煙であることにより、例えば、煙を検出することができるので、当該煙の検出により火災を確実に判定することが可能となる。
【符号の説明】
【００８６】
１  取付ベース
２  外カバー
３  遮光空間
４  検煙部カバー
５  防虫網
６  回路基板
１１  取付面
２１  本体部
２１ａ  区分点
２２  誘導部
２３  リブ
３１  検出点
３２  発生空間
４１  検煙部カバー側流入出開口
４２  部品収容部
４２ａ  連通開口
４３  検煙部カバー側傾斜部
６１  第１発光部
６２  第２発光部
６３  受光部
１００  感知器
２１１  外カバー側流入出開口
２２１  誘導部側傾斜部
６００  吸収層
６１１  第１発光側光軸
６２１  第２発光側光軸
６３１  受光側光軸
９００  設置面
ＡＤ  鋭角
【図１】
2019046111.tif 000003
【図２】
2019046111.tif 000004
【図３】
2019046111.tif 000005
【図４】
2019046111.tif 000006
【図５】
2019046111.tif 000007
【図６】
2019046111.tif 000008
【図７】
2019046111.tif 000009
【図８】
2019046111.tif 000010
【図９】
2019046111.tif 000011